(57)【特許請求の範囲】
【請求項１】
上面に凹みのある係止部が外周面から突出した円筒形のアダプタに着脱自在に装着される照明器具であって、
円形状の開口部が設けられた照明器具本体であり、前記開口部内に前記アダプタが嵌め込まれ、前記開口部の周縁部が前記アダプタの係止部の上面に載ることで、前記アダプタにより支持される照明器具本体と、
前記開口部の周縁部に設けられ、前記アダプタの係止部の凹みに挿入される回転止め部と
を備えることを特徴とする照明器具。
【請求項２】
前記回転止め部は、前記開口部の周方向における位置が互いに異なるように複数設けられることを特徴とする請求項１の照明器具。
【請求項３】
複数の前記回転止め部のうち少なくとも２つは、前記開口部の周方向における位置が互いに約９０度離れるように設けられることを特徴とする請求項２の照明器具。
【請求項４】
前記回転止め部は、前記開口部の径方向における幅が徐々に狭くなるように前記開口部の周縁部から立設されることを特徴とする請求項１から３のいずれかの照明器具。
【請求項５】
前記照明器具本体には、前記開口部が上下２段に設けられ、
前記回転止め部は、上段の前記開口部の周縁部に設けられることを特徴とする請求項１から４のいずれかの照明器具。
【発明の詳細な説明】
【技術分野】
【０００１】
本発明は、照明器具に関するものである。本発明は、特に、アダプタを介在して天井等に取り付ける場合に、安全に、しかも容易に照明器具本体及び照明器具のカバーを取り付け、取り外しできる、照明器具に関するものである。
【背景技術】
【０００２】
天井に配設された配線器具に、アダプタを介して照明器具を固定することにより、電気工事業者が介入しなくて、一般の人が照明器具を直接、天井に固定できる器具が増えてきている。
【０００３】
ところで、こうした照明器具において、アダプタに中途半端に取り付けた状態にすると、カバーを清掃するためにカバーを外そうとし、カバーを回転させると、照明器具本体が同時に回転してしまいカバーが外せなくなる。
【０００４】
また、回転が何回も回ればいずれは、アダプタの電気接続部が端子から外れたり、アダプタから引き出されている電線が断線したりするおそれがある。
【０００５】
従来の照明器具では、照明器具本体の中央空間部の周辺部からアダプタの側面側に突き出た回転止めが、アダプタの係止部の側面に突き当たり、回転を防止している（例えば、特許文献１参照）。
【先行技術文献】
【特許文献】
【０００６】
【特許文献１】特開２００７−２５７８７９号公報
【発明の概要】
【発明が解決しようとする課題】
【０００７】
従来の照明器具では、回転止めが回転を完全に防止できるわけではなく、カバーを回転させて着脱する際には、照明器具本体が多少回転してしまうという課題があった。
【０００８】
本発明は、例えば、アダプタに装着された照明器具本体の回転を防止することを目的とする。
【課題を解決するための手段】
【０００９】
本発明の一の態様に係る照明器具は、
上面に凹みのある係止部が外周面から突出した円筒形のアダプタに着脱自在に装着される照明器具であって、
円形状の開口部が設けられた照明器具本体であり、前記開口部内に前記アダプタが嵌め込まれ、前記開口部の周縁部が前記アダプタの係止部の上面に載ることで、前記アダプタにより支持される照明器具本体と、
前記開口部の周縁部に設けられ、前記アダプタの係止部の凹みに挿入される回転止め部とを備える。
【発明の効果】
【００１０】
本発明の一の態様によれば、照明器具の回転止め部がアダプタの係止部の凹みに挿入されるため、アダプタに装着された照明器具本体の回転を防止することができる。
【図面の簡単な説明】
【００１１】
【図１】実施の形態１に係る照明器具、照明器具に取り付けられるカバー、照明器具が装着されるアダプタ、アダプタが取り付けられる配線器具の断面図。
【図２】実施の形態１に係る照明器具本体の部分（中央部）拡大斜視図。
【図３】実施の形態１に係る照明器具本体の上段をアダプタに装着する手順を示す図。
【図４】実施の形態１に係る照明器具本体の下段がアダプタに装着された状態を示す図。
【図５】実施の形態２に係る照明器具本体の部分（中央部）拡大斜視図。
【図６】実施の形態３に係る照明器具本体の部分（中央部）拡大斜視図。
【発明を実施するための形態】
【００１２】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１３】
実施の形態１．
図１は、本実施の形態に係る照明器具１０、照明器具１０に取り付けられるカバー２０、照明器具１０が着脱自在に装着されるアダプタ３０、アダプタ３０が取り付けられる配線器具４０の断面図である。なお、図１において、断面のハッチングは省略している。図２は、照明器具本体１１の部分（中央部）拡大斜視図である。
【００１４】
図１において、アダプタ３０は、円筒形であり、その上面からＬ字状のプラグ３１が突出している。また、アダプタ３０の外周面からは係止部３２が突出している。係止部３２は、アダプタ３０の内部でスプリングにより支持され、スプリングの弾性力によりアダプタ３０の外側方向に付勢されており、外側から押されるとアダプタ３０の内側方向に引っ込むようになっている。係止部３２は、平面視でアダプタ３０の中心に対して対称の位置に２つ設けられている。即ち、係止部３２は、アダプタ３０の周方向における位置が互いに約１８０度離れるように２つ設けられている。後述するように、係止部３２の上面には凹みがある。アダプタ３０の下面からは電気接続部３３（コネクタ）が延びている。電気接続部３３は、アダプタ３０の内部でＬ字状のプラグ３１と電気接続している。アダプタ３０の下面には、前述したスプリングで係止部３２をアダプタ３０の内側に縮めるためのボタン３４も設けられている。なお、ボタン３４は、なくてもよいし、取っ手等、他の構造により係止部３２を内側に縮めるものに置き換えてもよい。
【００１５】
照明器具１０は、照明器具本体１１と、回転止め部１２と、点灯装置収納部１３と、パッキン１４とを備えている。
【００１６】
照明器具本体１１には、２つの環状ランプ１５が着脱自在に取り付けられる。環状ランプ１５は、例えばＬＥＤランプや蛍光ランプである。なお、照明器具本体１１に取り付け可能な環状ランプ１５の数は２つに限らず、１つ又は３つ以上でもよい。
【００１７】
照明器具本体１１の中央部には、平面視で円形状の開口部１１ａが上下２段に設けられている。なお、開口部１１ａは、２段に限らず、１段又は３段以上設けられていてもよい。開口部１１ａが複数段あることで、厚さ（高さ）の異なる配線器具４０に同じ照明器具１０を取り付け可能となる。
【００１８】
図２に示すように、照明器具本体１１の中央部の上段は、アダプタ３０の係止部３２が挿入しやすいように、内径よりもその部分のみへこましている。即ち、上段の開口部１１ａの周縁部において、アダプタ３０の係止部３２に対応する位置には、切り欠き１１ｂが形成されている。また、その切り欠き１１ｂの稜線に沿った中央の位置にアダプタ３０の係止部３２の回転を止めるために設けた回転止め部１２がある。回転止め部１２は、上段の開口部１１ａの周縁部から下方に（下段に向かって）立設されており、その高さはアダプタ３０の係止部３２の高さより低い。回転止め部１２は、上段の開口部１１ａの周縁部に２つ設けられている。回転止め部１２は、アダプタ３０の係止部３２に合わせて、平面視で開口部１１ａの中心に対して対称の位置に２つ設けられている。即ち、回転止め部１２は、開口部１１ａの周方向における位置が互いに約１８０度離れるように２つ設けられている。なお、回転止め部１２の数は、２つに限らず、１つのみでもよいし、後述する実施の形態２のように３つ以上でもよい。また、下段の開口部１１ａの周縁部にも同様の回転止め部１２が（例えば２つ）設けられていてもよい。
【００１９】
点灯装置収納部１３は、環状ランプ１５を点灯させる点灯装置等（図示していない）を収納している。
【００２０】
パッキン１４は、スポンジやゴム等で形成され、照明器具本体１１の上面に、例えば環状に設けられている。
【００２１】
以下では、図１に示した照明器具１０、カバー２０、アダプタ３０、配線器具４０を組み合わせることで、照明器具１０を天井等に取り付ける手順について説明する。
【００２２】
配線器具４０は予め天井等に取り付けられている。照明器具１０の取り付けに先立ち、アダプタ３０の、上方に突き出したＬ字状のプラグ３１を配線器具４０の下面にある受金（図示していない）に差し込んで回し、アダプタ３０を配線器具４０に固定する。
【００２３】
前述したように、照明器具本体１１の中央部は２段に取り付けられる構造になっている。上段は、薄型の配線器具４０に取り付けられるようになっており、下段は、標準型の配線器具４０に取り付けられるようになっている。ここでは、標準型の配線器具４０が天井等に取り付けられているものとする。
【００２４】
図３は、照明器具本体１１の上段をアダプタ３０に装着する手順を示す図である。
【００２５】
前述したように、照明器具本体１１の中央部には、アダプタ３０の係止部３２が挿入しやすいように切り欠き１１ｂがある（図２参照）。この切り欠き１１ｂをアダプタ３０の係止部３２の位置に合わせて照明器具本体１１の中央部を下から押し上げると（図３のステップ１）、アダプタ３０の側面から突き出ているアダプタ３０の係止部３２はテーパ形状となっているので、押し上げ力は係止部３２を一時的にアダプタ３０の円筒内に押し込む力となる。このように、係止部３２をアダプタ３０の内側に押し込みながら、あるいは、アダプタ３０の下面にあるボタン３４でスプリングを縮めて係止部３２をアダプタ３０の内側に引っ込めながら、照明器具本体１１の開口部１１ａ（中央空間）内にアダプタ３０を潜らせる。照明器具本体１１をさらに上方に持ち上げて、照明器具本体１１の上段がアダプタ３０の係止部３２を通過すると（図３のステップ２）、スプリングによる復元力で係止部３２がアダプタ３０から再び突き出てくるので、照明器具本体１１の上段がアダプタ３０の係止部３２の上に載せられて、下方への動きが止まることになる（図３のステップ３）。
【００２６】
このように、照明器具本体１１の開口部１１ａ内にアダプタ３０が嵌め込まれて、上段の開口部１１ａの周縁部がアダプタ３０の係止部３２の上面に載ることで、照明器具本体１１の上段がアダプタ３０により支持される。この状態では、上段の開口部１１ａの周縁部に設けられた回転止め部１２がアダプタ３０の係止部３２の凹み３２ａに挿入されるため、照明器具本体１１の回転が防止される。
【００２７】
標準型の配線器具４０が天井等に取り付けられている場合、照明器具本体１１の上段がアダプタ３０に装着された状態では、照明器具本体１１の上面のパッキン１４が天井等に届かないか、あるいは、届いていても十分に密着していない状態である。この状態で照明器具１０にカバー２０を取り付けようとした場合、照明器具本体１１がカバー２０とともに回転することをパッキン１４によって防止することはできない。しかし、本実施の形態では、回転止め部１２がアダプタ３０の係止部３２の凹み３２ａに嵌合しているため、照明器具本体１１がカバー２０とともに回転することを防止することができる。
【００２８】
図４は、照明器具本体１１の下段がアダプタ３０に装着され、照明器具１０が天井等に取り付けられた状態を示す図である。
【００２９】
照明器具本体１１の中央部をさらに下から押し上げると、アダプタ３０の係止部３２が再びアダプタ３０の内側に押し込まれる。あるいは、アダプタ３０の下面にあるボタン３４を押してアダプタ３０の内部のスプリングを縮めると、アダプタ３０の係止部３２が再びアダプタ３０の内側に引っ込む。この状態で照明器具本体１１をさらに上方に持ち上げて、照明器具本体１１の下段がアダプタ３０の係止部３２を通過すると、スプリングによる復元力で係止部３２がアダプタ３０から再び突き出てくるので、照明器具本体１１の下段がアダプタ３０の係止部３２の上に載せられて、下方への動きが止まることになる。
【００３０】
このように、照明器具本体１１の開口部１１ａ内にアダプタ３０が嵌め込まれて、下段の開口部１１ａの周縁部がアダプタ３０の係止部３２の上面に載ることで、照明器具本体１１の下段がアダプタ３０により支持される。下段の開口部１１ａの周縁部にも回転止め部１２が設けられている場合は、その回転止め部１２がアダプタ３０の係止部３２の凹み３２ａに挿入されるため、照明器具本体１１の回転が確実に防止される。
【００３１】
標準型の配線器具４０が天井等に取り付けられている場合、照明器具本体１１の下段がアダプタ３０に装着されると、照明器具本体１１の上面のパッキン１４が天井等に密着することになる。よって、下段の開口部１１ａの周縁部に回転止め部１２が設けられていなくても、パッキン１４によって照明器具本体１１の回転を防止することができる。この状態で、アダプタ３０から出た電気接続部３３は、照明器具本体１１の中央空間を通り下方へ出る（図３参照）。その電気接続部３３を照明器具本体１１の受け側（図示していない）に差し込み、電源接続が完了することになる。なお、電気接続部３３を照明器具本体１１に接続する作業は、図３のステップ３の直後に行ってもよい。
【００３２】
その後、照明器具本体１１の受け金具（図示していない）にカバー２０を回転して保持させる。このときは、前述したように、照明器具本体１１の上面のパッキン１４が天井等と密着しているため、照明器具本体１１がカバー２０とともに回転することはほとんどない。
【００３３】
以上説明したように、本実施の形態では、照明器具本体１１の１段目に回転止め部１２を備えたので、カバー２０の着脱時等においても照明器具本体１１は回転せず安定し、安全で取扱いが容易になる効果がある。
【００３４】
実施の形態２．
本実施の形態について、主に実施の形態１との差異を説明する。
【００３５】
本実施の形態では、照明器具本体１１の切り欠き１１ｂ及び回転止め部１２の数が、それぞれ２つではなく、４つになっている。
【００３６】
図５は、照明器具本体１１の部分（中央部）拡大斜視図である。
【００３７】
図５に示すように、上段の開口部１１ａの周縁部において、２つの切り欠き１１ｂが、平面視で開口部１１ａの中心に対して対称の位置Ａ，Ｃに形成されている。また、別の２つの切り欠き１１ｂが、平面視で開口部１１ａの中心に対して対称の位置Ｂ，Ｄに形成されている。本実施の形態では、位置Ａ，Ｃをアダプタ３０の係止部３２の位置に合わせて照明器具本体１１をアダプタ３０に装着することもできるし、位置Ｂ，Ｄをアダプタ３０の係止部３２の位置に合わせて照明器具本体１１をアダプタ３０に装着することもできる。即ち、本実施の形態では、互いに異なる（例えば直交する）２つの方向のうち任意に選択した方向に照明器具１０を向けて、照明器具１０を天井等に取り付けることができる（特に、カバー２０が直方体状の場合等に有用である）。
【００３８】
それぞれの切り欠き１１ｂの稜線に沿った中央の位置には回転止め部１２がある。即ち、上段の開口部１１ａの周縁部において、４つの回転止め部１２が位置Ａ〜Ｄに設けられている。隣接する２つの回転止め部１２は、開口部１１ａの周方向における位置が互いに約９０度離れるように設けられている。
【００３９】
なお、切り欠き１１ｂ及び回転止め部１２の数や位置は、適宜変更可能である。
【００４０】
本実施の形態によれば、照明器具１０を周方向において任意の位置に取り付け可能となる。
【００４１】
実施の形態３．
本実施の形態について、主に実施の形態２との差異を説明する。
【００４２】
本実施の形態では、照明器具本体１１の回転止め部１２の形状が、断面視で三角形状になっている。
【００４３】
図６は、照明器具本体１１の部分（中央部）拡大斜視図である。
【００４４】
図６に示すように、本実施の形態では、回転止め部１２が、開口部１１ａの径方向における幅が徐々に狭くなるように上段の開口部１１ａの周縁部から下方に（下段に向かって）立設されている。これにより、アダプタ３０の係止部３２が着脱しやすく、また、回転方向では、回転止め部１２を乗り上げ難くなる。
【００４５】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００４６】
１０  照明器具、１１  照明器具本体、１１ａ  開口部、１１ｂ  切り欠き、１２  回転止め部、１３  点灯装置収納部、１４  パッキン、１５  環状ランプ、２０  カバー、３０  アダプタ、３１  Ｌ字状のプラグ、３２  係止部、３２ａ  凹み、３３  電気接続部、３４  ボタン、４０  配線器具。
【図１】
0005868248.tif 000002
【図２】
0005868248.tif 000003
【図３】
0005868248.tif 000004
【図４】
0005868248.tif 000005
【図５】
0005868248.tif 000006
【図６】
0005868248.tif 000007